(57)【特許請求の範囲】
【請求項１】
両端に雄ねじ(1,1) を設けた鋼棒の両端を同方向に直角に屈折して得られたコ字棒材(2,3) の２本を、その中間部において両者の屈折部(4,5) が互いに異なる位置で同方向を向くように溶着したことを特徴とする、コンパネの固定金具。
【請求項２】
互いに溶着される２本のコ字棒材(2,3) が同一寸法であり、両者の中間部相互が、長手方向に位置をずらして横に並置し、かつ両者の屈折部(4,5) の先端部側が同一線上に位置するように屈折部(4,5) をわずかに交叉する方向にして、溶着されていることを特徴とする、請求項１記載のコンパネの固定金具。
【請求項３】
雄ねじ(1) の根元部に周溝(11)を備えた折取部が形成され、かつ雄ねじ(1) の根元部にカップ体(14)が外向きに装着されていることを特徴とする、請求項１または２記載のコンパネの固定金具。
【発明の詳細な説明】
【０００１】
【発明の属する技術分野】
この発明は、同一面に配置される２枚のコンパネ（コンクリート成形パネル）の相対位置関係を固定するための金具に関するもので、たとえばコンクリート製階段の手擦り内面や側壁面を成形するコンパネを固定するのに用いる金具に関するものである。
【０００２】
【従来の技術】
コンクリート製の階段を成形する型枠の例を図７及び図８に示す。図７は階段の中央部で切断した断面図であり、図８は一単位の側面パネルとその配置を示す斜視図である。
【０００３】
コンクリート製の階段は、斜めに配置した底面パネル５４と、階段１段毎に配置した複数の蹴上面パネル５５とによって成形される。階段の踏み面の部分は通常開放されたこて仕上げ面となっている。階段はその側壁または手擦り（以下手擦りを含めて側壁と総称する）と一体に成形されるため、側面パネル５６には階段の断面に対応する形状の開口５７が形成され、側面パネル５６はこの開口５７によって上下に分断された形状となる。すなわち、階段の側壁を形成する側面パネル５６は、上側面パネル５１と下側面パネル５２とで形成され、上側面パネル５１の下辺は階段状で、その縦辺に蹴上面パネル５５の両端が固定される。また下側面パネル５２の上辺は斜辺となり、その斜辺に階段の底面を成形する底面パネル５４が固定される。
【０００４】
階段は大きいので、複数枚のコンパネを繋いで型枠を形成する。側面パネルは単位幅の上側面パネルと下側面パネルとの両側辺を細長いフランジ板５８で接続したものを単位として製作し、現場でフランジ板相互を締結して繋ぎ合わせた後、開口５７部分のフランジ板を切除することにより、所要寸法の型枠を作る。このようにして組み立てられた側面パネルは、対向する外側側面パネル５９とセパレータボルト６１で連結されているが、階段の長さに相当する長さの開口５７によって上下に分断されているため不安定である。そこでこの上下の側面パネル５１、５２相互を連結固定するための固定金具が提供されている。
【０００５】
図９はこのような場合に使用する従来の固定金具の一例を示したものである。細長い短冊状の鉄板３１の両端に各２個のドリル孔３２が穿設され、各ドリル孔に挿通したボルト３３の頭と鉄板３１とが溶接されている。各ボルトには軸足７を固定したプラスチックコーン８を螺着する。軸足７には雄ねじが設けてある。上側面パネル５１の下辺近くと下側面パネル５２の上辺近くには、鉄板３１に設けたドリル孔と対応する位置にドリル孔を設け、このドリル孔に型枠の内側から軸足７を挿通して、外側からナットで止める。これにより上側面パネル５１と下側面パネル５２とは、型枠の内側に配置した鉄板４によって連結されることとなる。
【０００６】
この状態で型枠内にコンクリートを流し込み、コンクリートが固化してコンパネを取り外した後、プラスチックコーン８をボルト３３から取り外し、取り外した後の孔をモルタルで埋め戻して表面を整える。固定金具の鉄板４とボルト３３とは、コンクリート中に埋まった状態で残る。
【０００７】
【発明が解決しようとする課題】
このような固定金具は、使用される数が多く、コンクリート中に埋め残される消耗品となるため、価格が安いことが要求される。また鉄筋が配置された狭い型枠内部に取り付けられるため、作業性が良好でかつコンパクトであることが要求される。この発明は、階段の側面パネルのように、開口を隔てて同一面に配置されたコンパネ相互を接続するためのコンパクトで安価な固定金具を得ることを課題としている。
【０００８】
【課題を解決するための手段】
この発明のコンパネの固定金具は、両端に雄ねじ１、１を設けた鋼棒の両端を同方向に直角に屈折して得られたコ字棒材２、３の２本を、その中間部において両者の屈折部４、５が互いに異なる位置で同方向を向くように溶着したものである。好ましくは、互いに溶着される２本のコ字棒材２、３を同一寸法とし、両者の中間部相互を、長手方向に位置をずらして横に並置し、かつ両者の屈折部４、５の先端部側が同一線上に位置するように屈折部４、５をわずかに交叉する方向にして、溶着した構造とする。
【０００９】
雄ねじ１、１に従来構造で説明したプラスチックコーン８を取り付けるか、あるいは雄ねじ１の根元部分にカップ体１４を遊嵌して、これらプラスチックコーンやカップ体とコンパネの外側から螺合したナットとによりコンパネを挟み込んで固定する。請求項３の発明は、雄ねじ１の根元部に周溝１１を備えた折取部を形成し、雄ねじ１の根元部にカップ体１４を外向きに装着したものである。
【００１０】
【発明の実施の形態】
図１及び図２はこの発明の第１実施例にプラスチックコーンを取り付けたものを示す。所定寸法に切断した短い鋼棒と長い鋼棒の両端にそれぞれ同一長さの雄ねじを形成し、その雄ねじを含む両端を同一方向に直角に屈折する。長い鋼棒の屈折部の長さは、短い鋼棒の屈折部の長さより鋼棒の直径だけ長くし、かつ屈折後の中間部の長さも長い鋼棒のものが雄ねじ１に取り付けられるプラスチックコーン８や図４のカップ体１４の直径以上長くなるようにする。このようにして形成した２本のコ字棒材２、３を、それらの屈折部４、５を正確に同一方向にして短いコ字棒材の中間部の背後に長いコ字棒材の中間部を添設し、両者を複数箇所点溶接６して溶着する。
【００１１】
同方向を向いた屈折部４、５の４個の雄ねじ１には、図９の従来構造で用いるのと同じプラスチックコーン８を螺着し、それらの軸足７を上側面パネル５１及び下側面パネル５２に設けたドリル孔に挿通し、パネルの外側からナット９で固定する。コンクリート固化後、プラスチックコーン８を取り外し、取り外した後の凹所をモルタルで埋めることは従来と同様である。
【００１２】
コンクリート中に埋め残される部分は、２本のコ字棒材のみであり、棒材の両端に雄ねじを形成して直角に折り曲げたものを２本揃えて溶接するという簡単な工程で製作できるため、安価に提供できるとともに、本体が２本の鋼棒のみで製作されるため細くコンパクトで、鉄筋が入れられた狭い型枠内でも取付作業が容易である。
【００１３】
図４及び図５は、第２実施例を示したものである。この第２実施例のものでは、同一長さの鋼棒の両端に雄ねじ１と、雄ねじの奥に位置する周溝１１とを形成し、その両端を同一長さで同一方向に直角に折り曲げる。周溝１１及び雄ねじ１は転造により成形され、周溝１１の手前及び奥側には低い突起１２が形成される。このようにして形成した同一寸法のコ字棒材の２本を、中間部を長手方向に互い違いにしかつ横に並べた状態で、さらにその屈折部４、５の先端部分がコ字棒材の中間部１５と平行な直線上に位置するように、両コ字棒材の屈折部を互いに交叉する方向にわずかに内向きにして、溶着する。そして雄ねじ１のねじ底を通過する中心孔１３を設けた薄い金属製のカップ体１４を、その中心孔に雄ねじを螺進入させて雄ねじの根元部に挿通する。雄ねじの根元にはその谷径に相当する周溝が形成されており、カップ体１４はそこに遊嵌された状態で装着される。
【００１４】
上記のようにして製作した固定金具は、上側面パネル５１と下側面パネル５２とに雄ねじ１、１に対向させて設けたドリル孔５３に雄ねじ１、１を挿通し、型枠の外側からナット９を螺着して、カップ体１４とナット９との間で側面パネルを締結して、上下の側面パネル５１、５２相互を連結固定する。型枠内にコンクリートを流し込んで固化した後、ナット９を外して側面パネル５１、５２を除去し、コンクリートから突出している雄ねじの先端をハンマ等で叩いて周溝１１の部分で折ってカップ体１４とともにコンクリートから取り外す。取り外した後に残った凹所はモルタルで埋めて整形する。
【００１５】
この第２実施例のものでは、互いに溶接される鋼棒の形状寸法が全く等しいので、製造及び部品の在庫コストをよリ安価にできる。また雄ねじを挿通するためにコンパネに設けるドリル孔も一直線上に配置されるので、孔明け作業にも面倒が生じない。なお第１実施例のコ字棒材を溶着した構造で、その両端に第２実施例のようなカップ体を設ける構造や、第２実施例のようにコ字棒材を溶接したものに第１実施例のプラスチックコーンを取り付ける構造を採用することももちろん可能である。
【図面の簡単な説明】
【図１】第１実施例の金具の側面図
【図２】第１実施例の金具の断面平面図
【図３】第１実施例の金具の使用状態を示す図
【図４】第２実施例の金具の側面図
【図５】第２実施例の金具の平面図
【図６】第２実施例の金具の使用状態を示す図
【図７】階段成形用型枠の断面側面図
【図８】階段成形用型枠の一単位の側面パネルを示す斜視図
【図９】従来の金具とその使用状態を示す断面側面図
【符号の説明】
１  雄ねじ
２  コ字棒材
３  コ字棒材
４  屈折部
５  屈折部
11  周溝
14  カップ体
【図１】
0003838396.tif 000002
【図２】
0003838396.tif 000003
【図３】
0003838396.tif 000004
【図４】
0003838396.tif 000005
【図５】
0003838396.tif 000006
【図６】
0003838396.tif 000007
【図７】
0003838396.tif 000008
【図８】
0003838396.tif 000009
【図９】
0003838396.tif 000010